(57)【要約】【課題】従来の表示装置では、小型化することが困難である。【解決手段】表示盤２と、表示盤２に対向して設けられ、表示盤２を照明する照明装置と、を備え、表示盤２は、透光性を有する基板１１と、基板１１の前記照明装置側に設けられた意匠層１３と、意匠層１３の前記照明装置側に設けられた金属層１５と、を備えることを特徴とする表示装置。【選択図】図３
2012058297.tif 000002
【特許請求の範囲】
【請求項１】
表示盤と、
前記表示盤に対向して設けられ、前記表示盤を照明する照明装置と、を備え、
前記表示盤は、
透光性を有する基板と、
前記基板の前記照明装置側に設けられた意匠層と、
前記意匠層の前記照明装置側に設けられた金属層と、を備えることを特徴とする表示装置。
【請求項２】
前記金属層は、前記照明装置からの光の少なくとも一部を反射させる性質を有することを特徴とする請求項１に記載の表示装置。
【請求項３】
前記照明装置は、光を発する光源と、前記光源の前記表示盤側とは反対側に設けられたリフレクターと、を備えることを特徴とする請求項２に記載の表示装置。
【請求項４】
前記意匠層と前記金属層との間に黒色着色層が設けられていることを特徴とする請求項１乃至３のいずれか一項に記載の表示装置。
【請求項５】
透光性を有する基板に、インクジェット法で意匠層を形成する工程と、前記意匠層を形成する工程の後に、前記意匠層の前記基板側とは反対側に、インクジェット法で金属層を形成する工程と、を有することを特徴とする表示装置の製造方法。
【請求項６】
前記意匠層を形成する工程と、前記金属層を形成する工程との間に、前記意匠層の前記基板とは反対側に、インクジェット法で黒色着色層を形成する工程を有することを特徴とする、請求項５に記載の表示装置の製造方法。
【発明の詳細な説明】
【技術分野】
【０００１】
本発明は、表示装置および表示装置の製造方法に関する。
【背景技術】
【０００２】
従来から、透明な樹脂基板に有色の意匠層が設けられた表示盤と、バックライトとしての光源とを有する表示装置が知られている（例えば、特許文献１参照）。
【先行技術文献】
【特許文献】
【０００３】
【特許文献１】特開２００７−２４９０２８号公報
【発明の概要】
【発明が解決しようとする課題】
【０００４】
前記特許文献１に記載された表示盤では、樹脂基板上に、有色の意匠層と、不透過部を形成するための黒色着色層が積層されている。この表示盤では、不透過部で光源からの光を遮ることによって、目盛りや文字の輪郭が表現されている。
しかしながら、このような黒色着色層で十分な遮光性を得るには、黒色着色層の厚みを厚くする必要がある。そして、黒色着色層の厚みを厚くすると、表示盤の厚みが厚くなる。
つまり、従来の表示装置では、小型化することが困難であるという課題がある。
【課題を解決するための手段】
【０００５】
本発明は、上述の課題の少なくとも一部を解決するためになされたものであり、以下の形態または適用例として実現することが可能である。
【０００６】
［適用例１］表示盤と、前記表示盤に対向して設けられ、前記表示盤を照明する照明装置と、を備え、前記表示盤は透光性を有する基板と、前記基板の前記照明装置側に設けられた意匠層と、前記意匠層の前記照明装置側に設けられた金属層と、を備えることを特徴とする表示装置。
【０００７】
本適用例によれば、表示盤は、透光性を有する基板と、基板の照明装置側に設けられた意匠層と、意匠層の照明装置側に設けられた金属層と、を備える。金属層は、照明装置からの光に対する遮光性が高い。このため、意匠層の照明装置側に金属層が設けられているので、表示盤における遮光性を高め易くすることが出来る。この結果、金属層によって表示盤における遮光性を高め易くすることが出来るので、表示盤の厚みを軽減し易くすることが出来る。
【０００８】
［適用例２］上記の表示装置であって、前記金属層は、前記照明装置からの光の少なくとも一部を反射させる性質を有することを特徴とする表示装置。
【０００９】
この適用例では、金属層は、照明装置からの光の少なくとも一部を反射させる性質を有する。このため、照明装置からの光の少なくとも一部を金属層で反射させることによって、表示盤における遮光性を高め易くすることが出来る。
【００１０】
［適用例３］上記の表示装置であって、前記照明装置は、光を発する光源と、前記光源の前記表示盤側とは反対側に設けられたリフレクターと、を備えることを特徴とする表示装置。
【００１１】
この適用例では、照明装置は、光源と、リフレクターと、を備える。リフレクターは、光源の表示盤側とは反対側に設けられている。この表示装置では、光源からの光のうちで、表示盤側とは反対側に向かう光の少なくとも一部をリフレクターで表示盤側に反射させることが出来る。これにより、照明装置における光の利用効率を高め易くすることが出来る。
また、この表示装置では、金属層で照明装置側に反射した光の少なくとも一部もリフレクターで表示盤側に反射させることが出来る。この結果、照明装置における光の利用効率を一層高め易くすることが出来る。
【００１２】
［適用例４］上記の表示装置であって、前記意匠層と前記金属層との間に黒色着色層が設けられていることを特徴とする表示装置。
【００１３】
本適用例によれば、意匠層と金属層との間に黒色着色層が設けられているので、表示盤における遮光性を一層高め易くすることが出来る。
【００１４】
［適用例５］透光性を有する基板に、インクジェット法で意匠層を形成する工程と、前記意匠層を形成する工程の後に、前記意匠層の前記基板側とは反対側に、インクジェット法で金属層を形成する工程と、を有することを特徴とする表示装置の製造方法。
【００１５】
この適用例の表示装置の製造方法は、意匠層を形成する工程の後に、金属層を形成する工程を有する。
意匠層を形成する工程では、透光性を有する基板に、インクジェット法で意匠層を形成する。
金属層を形成する工程では、意匠層の基板側とは反対側に、インクジェット法で金属層を形成する。金属層は、光に対する遮光性が高い。
この製造方法によれば、意匠層の基板側とは反対側に金属層を形成するので、基板における遮光性を高め易くすることが出来る。
また、意匠層や金属層をインクジェット法で形成することで、例えばスクリーン印刷に用いる版等が不要となるため、表示装置を安価に製造することが可能となる。
【００１６】
［適用例６］上記の表示装置の製造方法であって、前記意匠層を形成する工程と、前記金属層を形成する工程との間に、前記意匠層の前記基板側とは反対側に、インクジェット法で黒色着色層を形成する工程を有することを特徴とする表示装置の製造方法。
【００１７】
この適用例の表示装置の製造方法は、意匠層を形成する工程と金属層を形成する工程との間に、意匠層の基板側とは反対側に、インクジェット法で黒色着色層を形成する工程を有する。これにより、意匠層と金属層との間に黒色着色層を形成することが出来る。この結果、基板における遮光性を一層高め易くすることが出来る。
また、黒色着色層をインクジェット法で形成することで、例えばスクリーン印刷に用いられる版等が不要となるため、表示装置を安価に製造することが可能となる。
【図面の簡単な説明】
【００１８】
【図１】本実施形態における表示装置の平面図。
【図２】図１中のＡ−Ａ線における断面図。
【図３】図１中のＢ−Ｂ線における断面図。
【図４】本実施形態における表示装置の製造方法の流れを説明する図。
【図５】本実施形態における表示盤の製造方法の流れを説明する図。
【図６】本実施形態における表示盤の製造方法の流れを説明する図。
【図７】本実施形態における表示盤の他の例を示す断面図。
【図８】本実施形態における表示盤の他の例の製造方法の流れを説明する図。
【発明を実施するための形態】
【００１９】
本実施形態における表示装置１は、図１に示すように、表示盤２を有している。表示装置１は、例えば、自動車用の速度表示装置として用いられる。
【００２０】
また、上記表示装置は、図１中のＡ−Ａ線における断面図である図２に示すように、照明装置３を有している。照明装置３は、光源４と、リフレクター５と、を備えている。
光源４は、表示盤２に対向して設けられている。光源４は、表示盤２を照明する照明光を発する。
リフレクター５は、光源４の表示盤２側とは反対側に設けられている。リフレクター５は、光源４から表示盤２側とは反対側に向かう光の少なくとも一部を、表示盤２側に反射させる。
【００２１】
表示盤２は、図１中のＢ−Ｂ線における断面図である図３に示すように、基板１１と、基板１１上に形成された有色の意匠層１３と、金属層１５と、を有する。
基板１１は、光源４からの照明光に対する透光性を有している。基板１１としては、例えばポリカーボネート、ポリエチレンテレフタレート等の熱可塑性樹脂からなるものを用いることが出来る。また、上記基板１１の厚さは１ｍｍ以下であることが好ましい。
【００２２】
意匠層１３は、装飾のためのパターンである。装飾のためのパターンとしては、例えば、模様や図柄などを有するパターンや、模様や図柄などがない無地のパターンなどの種々のパターンが挙げられる。さらに、模様や図柄としては、例えば、木目調パターンなどが挙げられる。また、模様や図柄などに文字や記号などが含まれていてもよい。このような装飾のためのパターンによって、表示盤２に意匠性が付与され得る。
意匠層１３は、シアン、マゼンタ、イエロー、ブラック、ライトシアン、ライトマゼンタ、ライトイエロー、ライトブラック、オレンジ、グリーン、ホワイト、クリアー等の種々のインクを組み合わせたり、これらを複数層に積み重ねて印刷したりすることにより、形成することが出来る。そして、意匠層１３には、単色で模様が形成されていてもよいし、複数色によって模様が形成されてもよい。意匠層１３には、単色又は複数色で図形が形成されてもよい。意匠層１３の少なくとも一部に文字が印字されていてもよい。また、無地のパターンである場合には、上記種々のインクのうちのいずれか１つを用いたり、上記種々のインクの複数を用いたりすることができる。
【００２３】
金属層１５は、意匠層１３の基板１１側とは反対側、すなわち意匠層１３の光源４側に設けられている。金属層１５は、メタリック顔料、金属微粒子や、金属箔などを含有している。
金属層１５は、意匠層１３の少なくとも一部を被覆するように形成されている。図１及び図３では、金属層１５は、文字“０”に対応した部位に設けられており、文字“０”の周囲には設けられていない。このように、本実施形態では、文字や記号が形成される領域にわたって金属層１５が設けられている。つまり、本実施形態では、金属層１５によって文字や記号が形成されている。金属層１５により、表示盤２において、文字や記号の輪郭部分をはっきりと表示させることが可能となる。
表示装置１では、光源４から意匠層１３に照射された照明光は、少なくとも一部が意匠層１３と基板１１とを透過することができる。他方で、光源４から金属層１５に照射された照明光は、金属層１５によって遮光され得る。
つまり、表示装置１では、光源４から表示盤２に照明光を照射したときに、照明光を透過する透過部１７と、照明光を遮光する（透過しない）遮光部１８とを形成することが出来る。また、換言すれば、金属層１５は、透過部１７には配置されておらず。遮光部１８に配置されている。図１及び図２では、遮光部１８は、矢印などの記号、文字、あるいはに対応して設けられている。また、図３に示すように、意匠層１３の少なくとも１部は、金属層１５と基板１１との間に配置されている。図３において、金属層１５と基板１１との間に配置された意匠層１３は、遮光部１８に対応している。
【００２４】
なお、金属層１５としては、光源４からの照明光に対する反射性が高いことが好ましい。これは、光源４から金属層１５に照射された照明光を、金属層１５で表示盤２の光源４側に反射させやすくすることができるためである。これにより、金属層１５で表示盤２の光源４側に反射した照明光の少なくとも一部を、リフレクター５で表示盤２側に反射させることができる。この結果、光源４からの照明光の利用効率を高めることができる。
【００２５】
表示装置１は、照明装置３から表示盤２に照明光を照射することにより、バックライト式の表示装置として用いることが出来る。この際、金属層１５が形成された部分（遮光部１８）については、照明装置３からの照明光を遮光することができる。このため、表示盤２を照明装置３側とは反対側から観察する観察者は、目盛りや文字の輪郭をはっきりと認識することが出来る。
【００２６】
表示装置１の製造方法につき、説明する。本実施形態における表示装置１の製造方法は、図４に示すように、表示盤２を製造する工程Ｓ１と、表示装置１を組み立てる工程Ｓ２と、を含む。
表示盤２を製造する工程Ｓ１では、表示盤２を製造する。
表示装置１を組み立てる工程Ｓ２では、表示盤２と照明装置３とを、表示装置１として組み立てる。
上記の製造方法によって、表示装置１が製造され得る。
【００２７】
また、表示盤２を製造する工程Ｓ１は、図５に示すように、意匠層１３を形成する工程Ｓ１０１と、金属層１５を形成する工程Ｓ１０２と、を含む。
意匠層１３を形成する工程Ｓ１０１では、まず、図６（ａ）に示すように、基板１１にインクなどの液状体２１で意匠パターン１３ａを描画する。意匠パターン１３ａの描画には、液滴吐出ヘッド２３を利用したインクジェット法が活用され得る。
【００２８】
液滴吐出ヘッド２３からインクなどの液状体２１を液滴２１ａとして吐出する技術は、インクジェット技術と呼ばれる。そして、インクジェット技術を活用して液状体２１などを所定の位置に配置する方法は、インクジェット法と呼ばれる。このインクジェット法は、塗布法の１つである。
そして、液状体２１で構成される意匠パターン１３ａを硬化させると、図６（ｂ）に示す意匠層１３が形成される。
また、液状体２１は、光硬化性を有する樹脂に顔料を混合したものが採用され得る。光硬化性とは、光の照射を受けることによって硬化する性質である。なお、光としては紫外光が採用され得る。光硬化性を有する樹脂としては、重合性化合物（公知の重合性化合物を含む）と、光重合開始剤とを含有するものがある。重合性化合物としては、例えば、ラジカル重合性化合物や、カチオン重合性化合物などが挙げられる。
【００２９】
次いで、金属層１５を形成する工程Ｓ１０２では、図６（ｃ）に示すように、意匠層１３の基板１１側とは反対側に、液状体３１で遮光パターン１５ａを描画する。遮光パターン１５ａの描画においても、液滴吐出ヘッド２３を利用したインクジェット法が活用され得る。つまり、液状体３１を液滴吐出ヘッド２３から液滴３１ａとして吐出することによって遮光パターン１５ａが描画され得る。
ここで、液状体３１としては、機能材料としての金属微粒子を液体である分散媒に分散させた分散系金属インクを採用することができる。金属微粒子としては、例えば、粒径が数ｎｍの機能材料としての金属微粒子を採用することができる。また、金属微粒子の材料としては、例えば、銀（Ａｇ）やアルミニウム（Ａｌ）などが挙げられる。金属微粒子の粒径は、１ｎｍ以上、且つ０．１μｍ以下であることが好ましい。
【００３０】
分散媒としては、上記の金属微粒子を分散できるもので、凝集を起こさないものであれば特に限定されない。例えば、水系溶媒のほか、メタノール、エタノール、プロパノール、ブタノール等のアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼンなどの炭化水素系化合物、また、エチレングリコール、ジエチレングリコール、トリエチレングリコール、グリセリン、１，３−プロパンジオール等のポリオール類、ポリエチレングリコール、エチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサン等のエーテル系化合物、さらにプロピレンカーボネート、γ−ブチロラクトン、Ｎ−メチル−２−ピロリドン、ジメチルホルムアミド、ジメチルスルホキシド、シクロヘキサノン、乳酸エチル等の極性化合物を例示できる。これらのうち、微粒子の分散性と分散液の安定性、またインクジェット法への適用の容易さの点で、水、アルコール類、炭化水素系化合物、エーテル系化合物が好ましく、より好ましい分散媒としては、水、炭化水素系化合物を挙げることが出来る。
【００３１】
そして、液状体３１で構成される遮光パターン１５ａを焼成させると、図３に示す金属層１５が形成される。ここで、遮光パターン１５ａの焼成条件としては、例えば、大気圧の環境で、且つ１５０〜２００℃の環境温度で、保持時間を約３０分間とする条件が採用され得る。また、液状体３１は、液状体２１と同様、光硬化性を有する樹脂に顔料を混合したものが採用され得る。
【００３２】
なお、本実施形態では、表示盤２において、意匠層１３の基板１１側とは反対側に金属層１５が設けられている構成が採用されている。しかしながら、表示盤２の構成は、これに限定されず、基板１１と意匠層１３との間に金属層１５が設けられている構成も採用され得る。
また、本実施形態では、文字や記号が形成される領域にわたって金属層１５が設けられている。しかしながら、文字や記号の態様は、これに限定されない。文字や記号の態様としては、例えば、文字や記号の輪郭部だけに金属層１５を設ける態様も採用され得る。文字や記号の輪郭部だけに金属層１５を設ける態様としては、例えば、金属層１５によって文字や記号を縁取る態様が挙げられる。金属層１５で文字や記号を縁取る態様では、縁取りが施された領域が遮光部１８となり、縁取られた内側の領域が透過部１７となる。これにより、遮光部１８で文字や記号の輪郭部を構成することができる。そして、輪郭部の内側の領域が透過部１７となるので、文字や記号を中抜きの状態で表示することができる。
【００３３】
また、本実施形態では、意匠層１３と金属層１５とが互いに接している構成が採用されている。しかしながら、表示盤２の構成は、これに限定されず、図７に示すように、意匠層１３と金属層１５との間に、黒色着色層４１が介在する構成も採用され得る。
黒色着色層４１は、平面視で、金属層１５に重なる領域、すなわち遮光部１８に設けられている。黒色着色層４１は、例えば、カーボンブラックを含有する樹脂などが採用され得る。このため、黒色着色層４１は、光を吸収する性質を有している。
【００３４】
この構成によれば、表示盤２の遮光部１８における遮光性を一層高めやすくすることができる。
黒色着色層４１を有する表示盤２では、表示盤２を製造する工程Ｓ１は、図８に示すように、意匠層１３を形成する工程Ｓ１０１と、金属層１５を形成する工程Ｓ１０２との間に、黒色着色層４１を形成する工程Ｓ１０３を有する。
黒色着色層４１を形成する工程Ｓ１０３では、図７に示す意匠層１３の基板１１側とは反対側に、黒色着色層４１を描画する。黒色着色層４１の描画においても、液滴吐出ヘッド２３を利用したインクジェット法が活用され得る。
【００３５】
黒色着色層４１の描画で採用される液状体としては、例えば、光硬化性を有する樹脂にカーボンブラックなどを主成分とする顔料を混合したものが採用され得る。光硬化性とは、光の照射を受けることによって硬化する性質である。なお、光としては紫外光が採用され得る。
光硬化性を有する樹脂としては、重合性化合物（公知の重合性化合物を含む）と、光重合開始剤とを含有するものがある。重合性化合物としては、例えば、ラジカル重合性化合物や、カチオン重合性化合物などが挙げられる。
【符号の説明】
【００３６】
１…表示装置、２…表示盤、３…照明装置、４…光源、５…リフレクター、１１…基板、１３…意匠層、１３ａ…意匠パターン、１５…金属層、１５ａ…遮光パターン、１７…透過部、１８…遮光部、２１…液状体、２１ａ…液滴、２３…液滴吐出ヘッド、３１…液状体、３１ａ…液滴、４１…黒色着色層。
【図１】
2012058297.tif 000003
【図２】
2012058297.tif 000004
【図３】
2012058297.tif 000005
【図４】
2012058297.tif 000006
【図５】
2012058297.tif 000007
【図６】
2012058297.tif 000008
【図７】
2012058297.tif 000009
【図８】
2012058297.tif 000010